(57)【要約】      （修正有）【課題】飲料、化粧品等のボトル、チューブ等の高さ寸法が異なる複数の容器を美観よく収容するとともに、生産性に優れる包装用箱を提供する。【解決手段】第１側部１と、第１側部に対向する第２側部とを少なくとも有して内部空間１６を形成する側部と、側部のいずれかの上端から延設される蓋部１２と、第１側部の下端から延設され、内部空間の上方に向けて立設される第１底部３ａと、第２側部の下端から延設される保持片の一部を切り起こし、第１底部より上方に載置面８が位置する載置部６を形成する第２底部とを備える。【選択図】図３
0003192298.tif 000002
【実用新案登録請求の範囲】
【請求項１】
第１側部と、前記第１側部に対向する第２側部とを少なくとも有して内部空間を形成する側部と、
前記側部のいずれかの上端から延設される蓋部と、
前記第１側部の下端から延設され、前記内部空間の上方に向けて立設される第１底部と、
前記第２側部の下端から延設される保持片の一部を切り起こし、前記第１底部より上方に載置面が位置する載置部を形成する第２底部と、
を備えることを特徴とする包装用箱。
【請求項２】
前記第１底部は、少なくとも前記第２側部に臨む傾斜片を備える請求項１に記載の包装用箱。
【請求項３】
前記載置部は、前記傾斜片に沿うよう設けられる支持片と、前記支持片から屈曲して前記載置面となる載置片とを備える請求項２に記載の包装用箱。
【請求項４】
前記蓋部は、少なくとも前記載置部上に配置される容器を上方から押圧する押さえ片を備える請求項１から請求項３のいずれか１項に記載の包装用箱。
【請求項５】
前記押さえ片は、前記容器と、前記第１底部上に配置される容器とを上方から押圧して容器の頭部高さを略同等とする請求項４に記載の包装用箱。
【請求項６】
前記保持片の残余部は、前記載置部上に容器を配置し、前記押さえ片にて上方から押圧した状態で、前記内部空間の下端部に当接する脚部を備える請求項４又は請求項５に記載の包装用箱。
【請求項７】
前記支持片は、前記傾斜片に貼着する底部貼着部を備える請求項３から請求項６のいずれか１項に記載の包装用箱。
【請求項８】
前記第２底部は、前記第１底部における幅方向の略中央部に位置する請求項１から請求項７のいずれか１項に記載の包装用箱。
【考案の詳細な説明】
【技術分野】
【０００１】
本考案は、飲料、化粧品等のボトル、チューブ等の高さ寸法が異なる複数の容器を収容する包装用箱に関するものである。
【背景技術】
【０００２】
従来より、高さ寸法が異なるボトル、チューブ等の容器の複数個を一体に収容する包装用箱が公知である。
【０００３】
例えば、上げ底部を有する組立体を包装体に収容することで、包装体の高さ寸法よりも小さい容器を上げ底部にて底上げし、収容する容器の高さを調節することができる包装用箱が公知である（特許文献１参照）。
【０００４】
また、底上げ機能の棚部を有する容器ホルダを外装ケースに収容することで、包装体の高さ寸法よりも小さい容器を上げ底部にて底上げするとともに、容器ホルダの保持片によって、外装ケース内の中央に位置する容器の上下左右方向への移動を規制する包装用箱が公知である（特許文献２参照）。
【先行技術文献】
【特許文献】
【０００５】
【特許文献１】実開平７−１７７２１号
【特許文献２】特開平８−２３０８６９号
【考案の概要】
【考案が解決しようとする課題】
【０００６】
しかしながら、上記文献では、包装用箱は、底上げ機能を有する内側部材と、これを収容する外側部材とから構成されることから、包装用箱の組み立て作業に際しては、まず、外側部材に対して内側部材を収容し、後に容器を収容する必要があり、当該組み立て作業が煩雑となる虞があった。また、これに付随して、製造コストの増大、廃棄の際のゴミの増大、生産上の管理、在庫の保管等においても問題視されるものであった。
【０００７】
そこで、本考案はこのような問題点を解決するものであって、飲料、化粧品等のボトル、チューブ等の高さ寸法が異なる複数の容器を美観よく収容するとともに、生産性に優れる包装用箱を提供することを課題とする。
【課題を解決するための手段】
【０００８】
前記問題点を解決するために、本考案の請求項１に記載の包装用箱は、第１側部と、前記第１側部に対向する第２側部とを少なくとも有して内部空間を形成する側部と、前記側部のいずれかの上端から延設される蓋部と、前記第１側部の下端から延設され、前記内部空間の上方に向けて立設される第１底部と、前記第２側部の下端から延設される保持片の一部を切り起こし、前記第１底部より上方に載置面が位置する載置部を形成する第２底部とを備えることを特徴とするものである。
【０００９】
また、本考案の請求項２に記載の包装用箱は、請求項１に記載の包装用箱において、前記第１底部は、少なくとも前記第２側部に臨む傾斜片を備えるものである。
【００１０】
また、本考案の請求項３に記載の包装用箱は、請求項２に記載の包装用箱において、前記載置部は、前記傾斜片に沿うよう設けられる支持片と、前記支持片から屈曲して前記載置面となる載置片とを備えるものである。
【００１１】
また、本考案の請求項４に記載の包装用箱は、請求項１から請求項３のいずれか１項に記載の包装用箱において、前記蓋部は、少なくとも前記載置部上に配置される容器を上方から押圧する押さえ片を備えるものである。
【００１２】
また、本考案の請求項５に記載の包装用箱は、請求項４に記載の包装用箱において、前記押さえ片は、前記容器と、前記第１底部上に配置される容器とを上方から押圧して容器の頭部高さを略同等とするものである。
【００１３】
また、本考案の請求項６に記載の包装用箱は、請求項４又は請求項５に記載の包装用箱において、前記保持片の残余部は、前記載置部上に容器を配置し、前記押さえ片にて上方から押圧した状態で、前記内部空間の下端部に当接する脚部を備えるものである。
【００１４】
また、本考案の請求項７に記載の包装用箱は、請求項３から請求項６のいずれか１項に記載の包装用箱において、前記支持片は、前記傾斜片に貼着する底部貼着部を備えるものである。
【００１５】
また、本考案の請求項８に記載の包装用箱は、請求項１から請求項７のいずれか１項に記載の包装用箱において、前記第２底部は、前記第１底部における幅方向の略中央部に位置するものである。
【考案の効果】
【００１６】
本考案の包装用箱では、側部に一体となるよう形成される第１底部と、第１底部より上方に載置面が位置する載置部を備える第２底部によって、高さ寸法が異なるボトル、チューブ等の容器の複数個を一体に収容することができる。これにより、従来品と比較して、組み立て作業を簡易とすることができ、製造コストの削減、廃棄の際のゴミの削減、生産上の管理、在庫の保管等の生産性に優れた包装用箱とすることができる。
【図面の簡単な説明】
【００１７】
【図１】本考案の実施例における包装用箱を展開した状態の表面図である。
【図２】本考案の実施例における包装用箱を組み立てた状態の底部を示す一部省略説明図である。
【図３】本考案の実施例における包装用箱に容器を収容した状態の斜視図である。
【図４】本考案の実施例における包装用箱に容器を収容した状態の正面図である。
【図５】本考案の実施例における包装用箱の図４のＡ−Ａ拡大断面図である。
【考案を実施するための形態】
【実施例】
【００１８】
以下、本考案の実施の形態における包装用箱を図面に基づいて説明する。当該包装用箱において、蓋部が設けられる側を当該箱の上方とし、底部が設けられる側を当該箱の下方とする。また、展開図において、縦方向を上下とし、横方向を左右とする。
【００１９】
図１は、包装用箱を展開した状態の表面図である。図２は、包装用箱を組み立てた状態の底部を示す一部省略説明図である。図３は、包装用箱に容器を収容した状態の斜視図である。図４は、図３の正面図である。図５は、図４のＡ―Ａ拡大断面図である。
【００２０】
本考案に係る包装用箱は、図１から図５に示すように、一枚のシート材、台紙等から組み立てられ、高さ寸法が異なるボトル、チューブ等の容器の複数個を一体に収容するとともに、高さ寸法の小さい容器を底上げして収容することができるものである。
【００２１】
包装用箱は、図１に示すように、ポリプロピレン、ポリエチレンテレフタレート（ＰＥＴ）等の一枚の合成樹脂製の透明シート材から形成されており、展開した状態において、側部を構成する２枚の第１側部１と第２側部２とを折線ａを介して横方向に連接している。そして、第１側部１と第２側部２の両者端部相互を貼着することで、容器を収容する略楕円状の内部空間１６を形成する。本実施例においては、例えば、第１側部１を表側板とし、第２側部２を裏側板としており、裏面となる第２側部２の右端に貼着部２ａが設けられる。
【００２２】
また、包装用箱は、収容される容器が外部から視認可能となるよう少なくとも一部に透明シート材を採用することもできるし、合成樹脂製の不透明シート材、紙等を採用することもできる。更に、包装用箱の側部等に印刷を施し、装飾することができるのは勿論である。
【００２３】
第１側部１は、例えば、略長方形状に形成され、上端には包装用箱をフック等に係止可能とする係止孔１ａが設けられる。また、第１側部１の下端には、折線ｂを介して第１底部が設けられる。
【００２４】
当該第１底部は、包装用箱の底部を構成し、内部空間１６の上方に向けて立設されるものである。第１底部は、包装用箱が組み立てられた状態にて、少なくとも第２側部２に臨む傾斜片を備えるよう形成され、側部に固定するための貼着片が適宜箇所に設けられる。
【００２５】
具体的には、第１側部１の下端には、折線ｂを介して底部片３が設けられる。当該底部片３は、折線ｂを上底とする略台形状の第１傾斜片３ａと、第１傾斜片３ａの下底を折線ｃとし、折線ｃを介して線対称となる第２傾斜片３ｂとから形成される。これにより、図５に示すように、折線ｂ、ｃを介して組み立てた際に、底部片３は、内部空間１６の上方に向けて略逆Ｖ字状に立設される。すなわち、折線ｃを略逆Ｖ字状の頂部として、第１傾斜片３ａが第１側部１に臨むとともに、第２傾斜片３ｂが第２側部２に臨むよう立設される。
【００２６】
また、第１傾斜片３ａには、第１底部を立設した際に、第１傾斜片３ａを第１側部１に貼着して固定するための貼着片４が設けられる。当該貼着片４は、第１傾斜片３ａの斜辺を介してそれぞれ左右方向に設けられる。このとき、それぞれの斜辺は、折線ｄ、ｅとされる。また、同様にして、第２傾斜片３ｂには、第２傾斜片３ｂの斜辺を介して貼着片４がそれぞれ左右方向に設けられ、当該斜辺は折線ｆ、ｇとされる。
【００２７】
第２側部２は、第１側部１と同様にして、例えば、略長方形状に形成される。本実施例においては、第２側部２は包装用箱の裏面とされるため、第１側部１より小形となるよう形成されるが、これに限られるものではない。
【００２８】
第２側部２の下端には、折線ｈを介して第２底部が設けられる。当該第２底部は、包装用箱に収容される高さ寸法の小さい容器を底上げするものである。すなわち、第２底部は、高さ寸法の小さい容器の載置面が第１底部の上方に位置するように構成される。第２底部は、折線ｈを介して設けられる保持片５により構成され、載置面は、保持片５の一部を切り起こして形成される載置部６により構成される。
【００２９】
当該載置部６は、第２側部２から下方に延設され、載置片８を支持する支持片７と、容器の載置面となる載置片８とを縦方向に連接してなる。そして、載置部６は、包装用箱が組み立てられ、載置片８に容器が配置され、後述の押さえ片１４にて上方から押圧された状態にて、支持片７が第１底部の第２傾斜片３ｂに沿うよう設けられ、支持片７から屈曲する載置片８が第１底部より上方に位置するよう設けられる。すなわち、載置部６は、図５に示すように、載置面を略水平状とした略「く」の字状となるよう構成される。また、支持片７のうち、第２傾斜片３ｂと重合する部分を第２傾斜片３ｂに貼着する底部貼着部９とすることもできる。
【００３０】
また、保持片５の残余部は、載置片８上に容器を配置し、上記押圧された状態で、第２側部２と第２傾斜片３ｂ（又は底部貼着部９）とから形成される内部空間１６の下方部に位置する楔状空間の下端部１７に当接する脚部１０を有してなる。当該脚部１０が下端部１７に当接することで、載置部６を補強的に支持することができ、第２底部を安定した状態とすることができる。
【００３１】
具体的には、図１に示すように、保持片５は、折線ｈを介して支持片７の一部となる底部貼着部９が設けられ、底部貼着部９の下端には、載置部６の切り起こし後に支持片７の一部となる部分片が設けられるとともに、当該部分片から左右方向に脚部１０を形成し得るよう、略長方形状に形成される。
【００３２】
そして、保持片５には、載置部６を形成するべく、部分片の下端部から切断線ｉ、ｊが所定間隔を有して上下方向に設けられるとともに、切断線ｉ、ｊの間には、折線ｋが左右方向に設けられ、切断線ｉ、ｊにおける下方端部の近傍には、折線ｌが左右方向に設けられる。これにより、底部貼着部９から折線ｋに至るまでの領域を支持片７とし、折線ｋから折線ｌに至るまでの領域を載置片８として、支持片７及び載置片８にて載置部６を構成する。
【００３３】
このとき、折線ｋの位置を折線ｃよりも下方に位置するよう設けることで、包装用箱を組み立てた際、第１底部の上方に載置面となる載置片８を位置させることができる。また、必要に応じて、折線ｈから折線ｋに至るまでの支持片７の適宜領域に線状の補強リブ１１を設けることもできる。
【００３４】
本実施例においては、載置部６が第２側部２の略中央部に位置するよう第２底部となる保持片５が設けられる。また、底部貼着部９は、第２傾斜部３ｂに貼着されるため、略同等形状に形成される。
【００３５】
また、第２側部２の上端には、折線ｍを介して蓋部が設けられる。具体的には、折線ｍを介して蓋部片１２が設けられ、蓋部片１２の上端には折線ｎを介して差し込み片１３が設けられる。また、差し込み片１３の上端には、折線Ｏを介して押さえ片１４が設けられる。
【００３６】
当該押さえ片１４は、第１底部上に配置される容器と、載置部６上に配置される容器とを上方から押圧して容器の頭部高さを略同等とするものである。更に、蓋部片１２には、切断線ｐを介して蓋部の開蓋作業を容易とするための引き上げ片１５を適宜箇所に設けることが望ましい。
【００３７】
本実施例においては、容器を収容する内部空間１６が略楕円形状に形成されるため、蓋部片１２がこれに対応するよう略楕円形状に形成されるとともに、差し込み片１３が湾曲する第２側部２に対応するように形成される。また、押さえ片１４は、差し込み片１３における幅方向の略中央部から左端部に向けて形成される。これにより、第２側部２の略中央部に位置し、載置部６上に配置される容器の頭部と、当該容器に隣接して第１底部上に配置される容器の頭部とを上方から押圧することができる。また、引き上げ片１５は、折線ｍ上に引き上げ部が位置するよう舌片状に形成される。
【００３８】
このようにして、展開図が形成される包装用箱は、次のようにして組み立てられる。以下の組み立て順序は一例であり、これに限られるものではないのは勿論である。
【００３９】
まず、折線ｂにしたがって第１底部となる底部片３を内側に折曲させる。また、折線ｃを頂部として略Ｖ字状となるよう、折線ｃにしたがって第２傾斜片３ｂを折曲させるとともに、折線ｄからｇにしたがって貼着片４を外側に折曲させる。
【００４０】
次に、折線ｈにしたがって第２底部となる保持片５を内側に折曲させる。また、切断線ｉ、ｊを介して保持片５から載置部６を切り起こし、折線ｋにしたがって載置片８を山折りするとともに、折線ｌにしたがって保持片５の残余部を谷折りする。
【００４１】
そして、折線ａにしたがって第２側部２を折曲し、貼着部２ａを第１側部１へと貼着するとともに、第１傾斜片３ａの貼着片４を第１側部１に貼着し、第２傾斜片３ｂの貼着片４を第２側部２に貼着する。また、底部貼着部９を第２傾斜片３ｂに貼着する。
【００４２】
このようにして組み立てられる包装用箱は、図２に示すように、底部となる第１底部の上方に載置部６の載置片８が位置するよう第２底部が形成される。また、支持片７の一部となる底部貼着部９が第２傾斜片３ｂに貼着されるとともに、包装用箱が合成樹脂製のシート材から形成されることが相俟って、容器を配置しない状態においても、載置部６が第２側部２から内部空間１６側へと略「く」の字状に浮き上がった状態となる。これにより、内部空間１６を３つに区画するとともに、載置片８上に容器を配置させやすい状態となり、作業効率を向上させることができる。
【００４３】
そして、図３から図５に示すように、包装用箱の内部空間１６に容器を収容するとともに、蓋部にて包装用箱を閉蓋する。本実施例においては、高さ寸法の大きいボトル容器Ｂ１と、高さ寸法の小さいボトル容器Ｂ２と、ボトル容器Ｂ１より高さ寸法の大きいチューブ容器Ｔとの３つの異なる高さ寸法を有する容器を収容する例について、以下に説明する。
【００４４】
まず、図３及び図４に示すように、第２底部の載置部６によって区画された右側の内部空間１６の第１底部上にボトル容器Ｂ１を配置する。次に、略「く」の字状に浮き上がった状態の載置部６の載置片８上にボトル容器Ｂ２を配置する。そして、第２底部の載置部６によって区画された左側の内部空間１６の第１底部上にチューブ容器Ｔを配置する。
【００４５】
そして、押さえ片１４によってボトル容器Ｂ１、Ｂ２の頭部を上方から押圧するとともに、蓋部にて内部空間１６を閉蓋する。このとき、内部空間１６の高さ寸法は、高さ寸法が最も大きいチューブ容器Ｔと略同一となるよう設定される。
【００４６】
このとき、ボトル容器Ｂ１、チューブ容器Ｔにおいては、第１側部１と第２側部２によって形成される楔状の左右の内部空間１６と、ボトル容器Ｂ２とによって、前後左右方向が支持され、当該方向への移動が規制された状態で収容される。また、ボトル容器Ｂ１においては、押さえ片１４によって当該頭部が押圧されるため、押さえ片１４と第１底部とによって、上下方向への移動も確実に規制された状態となる。一方、チューブ容器Ｔにおいては、蓋部と第１底部とによって、上下方向への移動が規制された状態となる。
【００４７】
また、ボトル容器Ｂ２においては、図３から図５に示すように、第１側部１と第２側部２とによって前後方向への移動が規制されるとともに、ボトル容器Ｂ１とチューブ容器Ｔとによって左右方向への移動が規制される。更に、押さえ片１４によって当該頭部が押圧されるため、押さえ片１４と第２底部の載置片８とによって、上下方向への移動も確実に規制された状態となる。このとき、第２底部の脚部１０が第２側部２と第２傾斜片３ｂ（又は底部貼着部９）とから形成される内部空間１６の下端部１７に当接することで、載置部６を補強的に支持することができ、第２底部を安定した状態とすることができる。
【００４８】
すなわち、第２底部は、図５に示すように、ボトル容器Ｂ２の上下方向への移動が規制された状態において、載置面となる載置片８が略水平状に配設されるとともに、脚部１０が内部空間１６の下端部１７に当接した状態となるよう、設定されるのである。また、第１側部１と第２側部２との間の略中央部に第１底部の頂部が位置し、第１側部１側へ傾斜する支持片７の略中央部を当該頂部にて支持するため、第２底部をより安定した状態とすることができる。更に、脚部１０を含む保持片５の残余部が第２側部２に沿うよう構成されるため、美観性にも優れたものとなる。
【００４９】
また、包装用箱全体としては、第１底部及び第２底部が内部空間１６の下端から上方へと浮き上がった状態となるよう構成されるため、それぞれの容器が包装用箱の略中央部に寄せられるようにして配置することができ、緩衝性に優れたものとなる。また、第１底部、第２底部の載置部６に配置されるそれぞれの容器を押さえ片１４にて上方から押圧し、容器の頭部高さを略同等とするため、両者の高さ寸法を合わせるようにして配置することができる。そして、これらの相乗効果により、収容される容器に統一感を持たせて、商品イメージを向上させたり、高級感を付与させたりすることが可能となり、美観性にも優れた包装用箱となる。
【００５０】
以上、説明した本考案に係る包装用箱によれば、側部に一体となるよう形成される第１底部にて、比較的高さ寸法の大きい容器を配置するとともに、同様にして、側部に一体となるよう形成され、第１底部の上方に載置面が位置するよう形成される第２底部にて、高さ寸法の小さい容器を配置して、複数の容器を収容することができる。これにより、従来品と比較して、組み立て作業を簡易とすることができ、製造コストの削減、管理、在庫の保管等の生産性に優れたものとなる。
【００５１】
また、上記実施例において、側部は、２枚の第１側部１と第２側部２とから構成されるものであったが、これに限られるものではない。例えば、４枚の第１側部から第４側部にて構成することもできるし、これに限られない。このとき、第１底部及び第２底部においては、対向するそれぞれの側部に設けられていればよい趣旨である。また、蓋部においては、いずれかの側部に設けられていればよい趣旨である。
【００５２】
更に、第１底部は、包装用箱が組み立てられた状態にて、略Ｖ字状に立設されるものであったが、これに限られるものではない。例えば、略三角形状、略台形状、その他形状等を採用することもできるし、これに限られない。すなわち、第１底部は、包装用箱が組み立てられた状態にて、少なくとも第２側部２に臨む傾斜片を備えるよう形成されていればよい趣旨である。これにより、支持片７を第１側部１側へと傾斜させることができる。
【００５３】
更に、押さえ片１４は、ボトル容器Ｂ１、Ｂ２の頭部を上方から押圧するものであったが、これに限られるものではない。例えば、チューブ容器Ｔに替えて、ボトル容器Ｂ１を更に追加して収容する場合には、押さえ片１４の形状を適宜変更させて、３本の容器頭部を押圧するよう形成することもできる。また、ボトル容器Ｂ１に替えて、チューブ容器Ｔを更に追加して収容する場合には、ボトル容器Ｂ２のみを押圧するよう形成することもできるし、これに限られない。すなわち、押さえ片１４は、少なくとも載置部６上に配置される容器を上方から押圧するよう形成されていればよい趣旨である。
【００５４】
その他、形状、寸法、材質等を適宜変更して実施することが可能である。また、一部構成を省略することができるし、一部抽出した構成とすることができるのは勿論である。
【符号の説明】
【００５５】
１      第１側部
２      第２側部
５      保持片
６      載置部
７      支持片
８      載置片
９      底部貼着部
１０    脚部
１４    押さえ片
１６    内部空間
１７    下端部
【図１】
0003192298.tif 000003
【図２】
0003192298.tif 000004
【図３】
0003192298.tif 000005
【図４】
0003192298.tif 000006
【図５】
0003192298.tif 000007